(57)【要約】  【課題】ガスシリンダによって開閉が補助される跳ね上げ回動式の上蓋を備えている展示ケースにおいて、全体を大型化することなくなるべく広い展示空間を確保する。  【手段】展示ケースの展示空間１の後端は背仕切板１６で区画されており、背仕切板１６の後方には後部空間１７が形成されている。上蓋３は蝶番２２によって本体フレーム６に跳ね上げ回動自在に取付けられている。ガスシリンダ２３は本体フレーム６の前面に鉛直の姿勢で配置されており、ガスシリンダ２３の可動部２３ｂと上蓋３は連動部材２５によって連結されている。連動部材２５の上端には第２ガイドローラ３４が取付けられており、第２ガイドローラ３４は、ブラケット２６に設けた円弧状の長穴に嵌まっている。【選択図】      図３
2006110249.tif 000002
【特許請求の範囲】
【請求項１】
上向きに開口した展示空間を有するケース本体と、展示空間を上方から塞ぐ上蓋とを備えており、前記展示空間はケース本体の背面寄りに配置した背仕切板の手前側に広がり、背仕切板の後方には後部空間が形成されている一方、
前記上蓋は、その後端部を中心にして跳ね上げ回動し得るようにケース本体に取付けられていると共に、展示空間を視認できる透明板が備えられており、更に、上蓋の跳ね上げ回動を容易ならしめるガスシリンダを備えている展示ケースであって、
前記ガスシリンダは固定部と可動部とを備えており、このガスシリンダを、ケース本体の背部でかつ上蓋よりも下方の部位に、略鉛直の姿勢で上向きに伸長するように配置しており、このガスシリンダの上端と前記上蓋のうち回動中心よりも手前側の部位とを、後部空間に配置した連動部材により、ガスシリンダの伸縮及び上蓋の回動が許容される状態に連結している、
展示ケース。
【請求項２】
前記連動部材は、その下端を中心にして前後傾動し得るようにガスシリンダの上端に取付けられている一方、前記上蓋の下面には、前記連動部材の上端が前後動可能に嵌まっている長穴を有するブラケットが下向きに突設されており、前記長穴を側面視で後ろ下向きに凹の円弧状に形成し、閉蓋状態では連動部材の上端は長穴の後部に位置し、上蓋の開き動に伴って連動部材の上端が長穴の手前側に移行するように設定している、
請求項１に記載した展示ケース。
【発明の詳細な説明】
【技術分野】
【０００１】
本願発明は、美術品類や商品等の各種物品を展示する展示ケースに関するものである。
【背景技術】
【０００２】
展示ケースの一種に、一般成人の腰から胸程度の高さで人が展示物を上方から覗き込むタイプがある。このタイプの展示ケースは、上方を展示空間と成したケース本体と、展示空間を上方から塞ぐ上蓋とを備えており、前記上蓋は、その後端部を中心にして跳ね上げ回動し得るようにケース本体に取付けられていると共に、展示空間を視認できる透明板が備えられている。
【０００３】
そして、展示ケースは上蓋の跳ね上げ回動を容易ならしめるダンパー手段としてガスシリンダを備えており、ガスシリンダの配置形態として、例えば特許文献１に記載されているように、ケース本体の上面部の後端寄り部位に背仕切板を設け、背仕切板の後方に後部空間が空くように形成し、この後部空間にガスシリンダを設けているものがある。
【特許文献１】特開２００３−１０２６００号公報
【発明の開示】
【発明が解決しようとする課題】
【０００４】
ガスシリンダは外筒と内筒（ピストン）と外筒とを備えていて両者が相対動して全体として伸縮するもので、一般に外筒を可動部としていることが多い。そして、従来は、特許文献１に記載されているように、ガスシリンダの固定部の下端をケース本体にピンで回動可能に取付け、可動部の上端をピンで上蓋に回動可能に取付けている。
【０００５】
従って、上蓋の開閉に際してガスシリンダは側面視での姿勢を変えながら伸縮する。換言すると、ガスシリンダは側面姿勢を変えながら伸縮することによって上蓋を開閉させることになる。
【０００６】
しかし、このようにガスシリンダをケース本体と上蓋とに直接に取り付けた構成では、ガスシリンダは閉蓋状態で前傾状の姿勢に配置することになるため、ガスシリンダを配置するための後部空間の奥行きが大きくなり、その結果、陳列空間が狭くなる虞があった（陳列空間の奥行きを大きくとると、必然的に展示ケースは大型化する。）。
【０００７】
また、上蓋をはね上げた状態に保持する機能を高めるには、開扉状態でガスシリンダはなるだけ前傾した姿勢であるのが好ましいが、従来技術では逆に扉の開度が大きくなるとガスシリンダは起立姿勢に近くなるため、上蓋を開いた状態に保持する機能が弱いという点も問題であった。
【０００８】
本願発明は、このような現状を改善することを課題とするものである。
【課題を解決するための手段】
【０００９】
本願発明の展示ケースは、基本構成として、上向きに開口した展示空間を有するケース本体と、展示空間を上方から塞ぐ上蓋とを備えており、前記展示空間はケース本体の背面寄りに配置した背仕切板の手前側に広がり、背仕切板の後方には後部空間が形成されている一方、前記上蓋は、その後端部を中心にして跳ね上げ回動し得るようにケース本体に取付けられていると共に、展示空間を視認できる透明板が備えられており、更に、上蓋の跳ね上げ回動を容易ならしめるガスシリンダを備えている。
【００１０】
そして、請求項１の発明では、前記ガスシリンダは固定部と可動部とを備えており、このガスシリンダを、ケース本体の背部でかつ上蓋よりも下方の部位に、略鉛直の姿勢で上向きに伸長するように配置しており、このガスシリンダの上端と前記上蓋のうち回動中心よりも手前側の部位とを、後部空間に配置した連動部材により、ガスシリンダの伸縮及び上蓋の回動が許容される状態に連結している。
【００１１】
請求項２の発明では、請求項１において、前記連動部材は、その下端を中心にして前後傾動し得るようにガスシリンダの上端に取付けられている一方、前記上蓋の下面には、前記連動部材の上端が前後動可能に嵌まっている長穴を有するブラケットが下向きに突設されており、前記長穴を側面視で後ろ下向きに凹の円弧状に形成し、閉蓋状態では連動部材の上端は長穴の後部に位置し、上蓋の開き動に伴って連動部材の上端が長穴の手前側に移行するように設定している。
【発明の効果】
【００１２】
本願発明によると、ガスシリンダはケース本体の奥部に略直立状の姿勢で配置されているため、ガスシリンダの占める奥行き寸法は僅かで良い一方、連動部材も回動しつつ上下動することにより、後部空間の奥行き寸法を小さくすることが可能となり、その結果、ガスシリンダと連動部材との配置スペースの奥行きをできるだけ小さくして、展示ケースを大型化することなく展示空間の奥行きをできるだけ大きくすることができる。
【００１３】
また、請求項２のように構成すると、上蓋を跳ね上げた状態で連動部材の上端はブラケットにおける長穴の手前に位置しているため、開蓋状態で上蓋を突っ張る支持力が高く、このため、ガスシリンダを大型化しなくても上蓋を開いた状態に保持する機能が高い利点を有する。
【発明を実施するための最良の形態】
【００１４】
次に、本願発明の実施形態を図面に基づいて説明する。
【００１５】
図１は展示ケースの概略斜視図であり、展示ケースは、上向きに開口した展示空間１を有するケース本体２と、ケース本体２の後部に跳ね上げ回動自在に取付けた上蓋３とを備えている。ケース本体２の前面には観音開き式の扉４を設けている。また、ケース本体２の上部は手前に張り出した状態になっており、閉蓋状態で上蓋３は側面視で前傾している。
【００１６】
詳細は省略するが、本実施形態の展示ケースはその複数個を左右に連結して各展示ケースの展示空間を一連に連通させることが可能であり、このため、展示空間の左右両側に位置した上部側板５はケース本体２に対して着脱式になっている。
【００１７】
以下、図２以下の図面も参照して詳細を説明する。図２は一部の部材を仮想線で示した概略側断面図、図３のうち（Ａ）は上蓋３の開閉補助機構を示す側断面図、（Ｂ）は（Ａ）のＢ−Ｂ視断面図、（Ｃ）は（Ａ）のＣ−Ｃ視断面図、図４は図３（Ａ）の一部破断IV−IV視図、図５は開閉補助機構の働きを示す説明図（スケルトン図）である。
【００１８】
図２から理解できるように、ケース本体２は、角形鋼管のように鋼材で構成された本体フレーム６を備えており、側板７や背面カバー８、扉４を本体フレーム６に取付けている。また、本体フレーム６の下面にはアジャスター８を取付けている。更に、本体フレーム６を構成する前後の下横長部材６ａにブラケット９を介して掛け渡した補強部材１０にはキャスター１１を取り付けている。
【００１９】
本体フレーム６の背部は複数段のバック横桟６ｂと後部支柱６ｃとで構成されており、また、本体フレーム６のうち展示部の部分は、前部横杆６ｃと前後長手の水平部材６ｄとで構成されている。展示品が載る展示板１２は、受け板１３を介して本体フレーム６に固定されている。
【００２０】
ケース本体２の前部は、展示面よりもやや高くなっている中空状のフロント部材１４を備えており、フロント部材１４には化粧パネル１４ａを設けている。フロント部材１４の中空部内には、上蓋３を閉じた状態に保持するラッチ装置１５を備えている。図示していないが、上蓋３の先端部にはラッチ装置１５に係脱する爪部材が下向き突設されている。
【００２１】
展示板１２の後端はバック横桟６ｂよりも手前側に位置しており、展示板１２の後端から背仕切板１６を立設することにより、背仕切板１６の手前側を展示空間と成し、背仕切板１６の後方を後部空間１７となしている。すなわち、展示空間１と後部空間１７とを背仕切板１６で仕切っている。背仕切板１６の上下は側面視で前傾した傾斜部１６ａになっており、傾斜部１６ａの上端には左右長手の支持フレーム１８が固定されている。
【００２２】
図３から明瞭に把握できるように、上蓋３は、その後部を構成する金属板製の中空状ホルダー部３ａと、ホルダー部３ａに差し込み固定された透明板（ガラス板）３ｂとを備えており、透明板３ｂは接着剤でホルダー部３ａに固定されている。符号３ｃはスペーサである。ホルダー部３ａは、その後部は水平で手前部は傾斜しており、閉蓋状態でホルダー部３ａの前端が支持フレーム１８に載るように設定されている。透明板３ｂの前端下面にはシール材１９を設けている。
【００２３】
上蓋３は、最上段に位置したバック横桟６ｂに固着した逆Ｌ形のブラケット２１に、左右複数個の蝶番２２を介して跳ね上げ回動自在に取付けられている。そして、ガスシリンダ２３、ガイドフレーム２４、連動部材（リンク杆）２５、ブラケット２６を主要要素とする開閉補助機構により、開閉をスムースに行えるようになっている。この点を次に説明する。
【００２４】
開閉補助機構は左右２個配置されており、ガイドフレーム２４は平断面前向き開口コ字状であり、バック横桟６ｂに固着した縦長の補強部材６ｆ（これも本体フレーム６の構成要素である）に溶接やビス止めによって固定されている。ガスシリンダ２３はガイドフレーム２４の内部に鉛直状の姿勢で配置されており、固定部（内筒）２３ａの下端に設けた下軸受け部２７が、左右長手の第１ピン２８によってガイドフレーム２４に上下動不能に取付けられている。
【００２５】
また、ガスシリンダ２３における可動部（外筒）２３ｂの上端に設けた上軸受け部２９には左右長手の第２ピン３０が嵌まっており、この第２ピン３０に設けた左右一対の第１ガイドローラ３０を、ガイドフレーム２４の左右側板に形成した上下長手のガイド穴３１に転動自在に嵌め入れている。従って、ガスシリンダ２３の可動部２３ｂは鉛直方向に上下動のみ可能に保持されている。
【００２６】
連動部材２５は平断面前向き開口コ字状に形成されており（勿論、他の形状でも良い）、その左右側板の下部に第２ピン３２が嵌まっている。ガスシリンダ２３の上軸受け部２９は連動部材２５の左右側板で挟まれている。連動部材２５の背部は第２ピン３２や上軸受け部２９と干渉しないように切り欠かれている。
【００２７】
上蓋３を閉じた状態では、ガスシリンダ２３の展示板１２の上面よりもやや下方に位置している一方、ガイドフレーム２４のガイド穴３１は後部空間１７に延びている。
【００２８】
連動部材２５における左右側板の上端部には左右長手の第３ピン３３を介して第２ガイドローラ３４が回転自在に取付けられている一方、上蓋３におけるホルダー部３ａの下面には、第２ガイドローラ３４が嵌まる略前後長手の長穴３５を有するブラケット２６が溶接溶接等によって固定されている。ブラケット２６の長穴３５は、その後端が高くて前端が低くなるように側面視で傾斜し、かつ、後ろ下向きに凹となるように湾曲している。連動部材２５の背板の上部は、ブラケット２６と干渉しないように切り欠かれている。
【００２９】
図５では、ガスシリンダ２３の伸縮に伴うブラケット２６及び第２ガイドローラ３４の移動軌跡を示している。この図から理解できるように、ガスシリンダ２３の可動部６ｂが上昇すると、第２ガイドローラ３４はブラケット２６の長穴３５を手前側に移動し、かつ、連動部材２５は閉蓋状態よりも前傾した姿勢になっている。また、長穴３５が円弧状であることにより、長穴３５の内部での第２ガイドローラ３４の逃げがスムースとなり、上蓋３は円滑に回動する。
【００３０】
この図５から理解できるように、上蓋３の開き過程で連動部材２５が上昇しつつつブラケット２６及びガスシリンダ２３に対して傾動することにより、連動部材２５はその姿勢を殆ど変えることなく上昇動するため、連動部材２５の動きを許容するために後部空間の奥行きを大きくする必要はない。このことと、ガスシリンダ２３は後部空間１７の下方に配置されていて背仕切板１６とは全く干渉しないこととにより、後部空間１７の奥行きをできるだけ小さくして、展示ケースを大型化することなく広い展示空間を確保することができる。
【００３１】
また、上蓋３をはね上げた状態で第２ガイドローラ３４はブラケット２６における長穴３５の前部に位置しているため、上蓋３に対して自重によって作用するモーメントを的確に支持することができる（連動部材２５が傾斜しているため、ガスシリンダ２３の可動部２３ｂに対する鉛直下向きの押圧力は小さくなり、この面でも、開いた状態での上蓋３の支持機能が高いと言える）。
【００３２】
更に、仮に上蓋３にガスシリンダを直接に取付けた場合、開いた状態でのガスシリンダの取付け位置が本実施形態における第２ガイドローラ３４の位置Ａと同じだとすると、閉じた状態でのガスシリンダの取付け位置は図５の符号Ｂで示す位置となるが、すると、上蓋３の開度は同じでありながらガスシリンダのストロークは本願実施形態よりも長くなる。
【００３３】
すなわち、点Ａと点Ｂとの間隔よりも、点Ａと点Ｃとの間隔が大きい。このことから理解できるように、本願実施形態によると、短いストロークのガスシリンダで上蓋３を大きく開閉することができるのである。
【００３４】
なお、第１ガイドローラ３０をガイドフレーム２４等によってガイドすると、ガスシリンダ２３の可動部に曲げ作用が働くことを防止できる利点がある。ガスシリンダ２３の可動部６ｂのガイド手段は、他の構造でも良い。
【００３５】
以上、本願発明の実施形態を説明したが、本願発明の具体例がこの実施形態に限定されるものではなく、他にも様々に具体化することができ。例えば、各部材の具体的な構造・形態は必要に応じて選択できる。また、連動部材の上端を上蓋の下面に傾動及び前後動可能に取付ける手段としては、必ずしもブラケットに長穴を設ける必要はなく、他の構造も採用できる。
【図面の簡単な説明】
【００３６】
【図１】実施形態に係る展示ケースの斜視図である。
【図２】一部の部材を仮想線で示した概略側断面図である。
【図３】(A)上蓋の開閉補助機構を示す側断面図、 (B)は (A)の B-B視断面図、 (C)は (A)の C-C視断面図である。
【図４】図3(A)の一部破断IV−IV視図である。
【図５】開閉補助機構の働きを示す説明図（スケルトン図）である。
【符号の説明】
【００３７】
１  展示空間
２  ケース本体
３  上蓋
１６  背仕切板
１７  後部空間
２３  ガスシリンダ
２４  ガイドフレーム
２５  連動部材
２６  ブラケット
３０  第１ガイドローラ
３１  ガイド穴
３４  第２ガイドローラ
３５  長穴
【図１】
2006110249.tif 000003
【図２】
2006110249.tif 000004
【図３】
2006110249.tif 000005
【図４】
2006110249.tif 000006
【図５】
2006110249.tif 000007